(57)【要約】【課題】軸部と頭部とが別個の部品として形成された骨固定装置を提供すること。【解決手段】骨または脊柱に固定されるべき軸部２と、頭部３と、軸部２をロッドに接続するために頭部３を受ける受部４とを備える骨固定装置を提供する。軸部２と頭部３とは別個の部品である。頭部３は、円筒状の内面を有するボア３と、内面上に設けられたリング状の溝３と、頭部３の内面から外面３０まで延在する少なくとも１つのスリット３５とを含む。軸部２は、骨または脊柱に固定される第１部分２１と、円筒状の外面を有し自由端２７に隣接する第２部分２３とを含む。突起７が円筒状の外面に設けられ，軸部２の円筒状の第２部分２３が頭部のボア３１に挿入されると、突起が頭部３のリング状の溝３４に係合する。【選択図】図２
2014158711.tif 000002
【特許請求の範囲】
【請求項１】
骨固定装置であって、
骨または脊柱に固定されるべき軸部（２，１０２，２０２）と、
頭部（３，１０３，２０３）と、
軸部（２，１０２，２０２）をロッドに接続するために頭部（３，１０３，２０３）を受ける受部（４）とを備え、
前記軸部（２，１０２，２０２）および頭部（３，１０３，２０３）は別個の部品であり、
頭部（３，１０３，２０３）は、円筒状の内面を有するボア（３１，１３１）と、内面に設けられたリング状の溝（３４，１３４，２３４）と、内面から頭部（３，１０３，２０３）の外面（３０，１３０，２３０）まで延在する少なくとも１つのスリット（３５，１３５，２３５）とを含み、
軸部（２，１０２，２０２）は、骨または脊柱に固定される第１部分（２１，１２１，２２１）と、円筒状の外面を有し自由端（２７，１２７，２２７）に隣接する第２部分（２３，１２３，２２３）とを含み、
突起（７，１０７）が円筒状の外面に設けられ、軸部（２，１０２，２０２）の円筒状の第２部分（２３，１２３，２２３）が頭部のボア（３１，１３１，２３１）に挿入されると、突起が頭部（３，１０３，２０３）のリング状の溝（３４，１３４，２３４）に係合する、骨固定装置。
【請求項２】
軸部（２，１０２，２０２）の円筒状の外面上の突起（７，１０７）はリング状である、請求項１に記載の骨固定装置。
【請求項３】
突起（１０７）は、軸部（２，１０２，２０２）の円筒状の第２部分（１２３）と一体に形成される、請求項１または２に記載の骨固定装置。
【請求項４】
突起（７）は、第２部分（２３，２２３）の円筒状の外面に設けられたリング状の溝（２４，２２４）に配置されたリングによって形成される、請求項１または２に記載の骨固定装置。
【請求項５】
骨固定装置であって、
骨または脊柱に固定されるべき軸部（２，２０２）と、
頭部（３，１０３，２０３）と、
軸部（２，２０２）をロッドに接続するために前記頭部（３，１０３，２０３）を受ける受部（４）とを備え、
軸部（２，２０２）および頭部（３，１０３，２０３）は別個の部品であり、
頭部（３，１０３，２０３）は、円筒状の内面を有するボア（３１，１３１，２３１）と、内面に設けられた突起（７）と、内面から頭部（３，１０３，２０３）の外面（３０，１３０，２３０）まで延在する少なくとも１つのスリット（３５，１３５，２３５）とを含み、
軸部（２，２０２）は、骨または脊柱に固定される第１部分（２１，２２１）と、自由端（２７，２２７）に隣接し円筒状の外面を有する第２部分（２３，２２３）とを含み、
リング状の溝（２４，２２４）が円筒状の外面に設けられ、軸部（２，２０２）の円筒状の第２部分（２３，２２３）が頭部（３，１０３，２０３）のボア（３１，１３１，２３１）に挿入されると、リング状の溝が頭部の突起（７）に係合する、骨固定装置。
【請求項６】
頭部（３，１０３，２０３）の円筒状の内面の突起（７）はリング状である、請求項５に記載の骨固定装置。
【請求項７】
突起は頭部と一体に形成される、請求項５または６に記載の骨固定装置。
【請求項８】
突起は、頭部のボア（３１，１３１，２３１）の円筒状の内面に設けられたリング状の溝（３４，１３４，２３４）に配置されるリング（７）によって形成される、請求項５または６に記載の骨固定装置。
【請求項９】
頭部（３０，１３０）の外面はほぼ球形セグメント形状である、請求項１から８のいずれか１項に記載の骨固定装置。
【請求項１０】
ボア（３１，１３１，２３１）は、第１端（３２，１３２，２０３ａ）から第２端（３３，１３３，２０３ｂ）まで頭部（３，１０３，２０３）を貫通する、請求項１から９のいずれか１項に記載の骨固定装置。
【請求項１１】
少なくとも１つのスリット（３５，１３５）は、頭部（３，１０３）の第１端（３２，１３２）から第２端（３３，１３３）まで延在する、請求項１から１０のいずれか１項に記載の骨固定装置。
【請求項１２】
いくつかのスリット（１３５）が頭部（１０３）に設けられ、第１端（１３２）から始まり、第２端（１３３）から所定の距離のところまで、および第２端（１３３）から始まり、第１端（１３２）から所定の距離のところまで、それぞれ交互に延在する、請求項１から１１のいずれか１項に記載の骨固定装置。
【請求項１３】
長手方向のボア（４２）は第１端（４０）から第２端（４１）まで受部を貫通し、長手方向のボアは先細り形状であって第２端（４１）に隣接し、頭部（３，１０３，２０３）を収容するための座部（４３）を形成する、請求項１から１２のいずれか１項に記載の骨固定装置。
【請求項１４】
加圧要素（５）は長手方向のボア（４２）内に配置され、受部（４）に対する軸部（２）の角度配向を固定する、請求項１から１３のいずれか１項に記載の骨固定装置。
【請求項１５】
Ｕ字型の凹部（４４）は受部（４）内に第１端（４０）に隣接して形成され、長手方向のボア（４２）にほぼ垂直に延在し、２つの自由脚部（４５，４６）が形成され、ロッドを受けるためのチャネルを形成する、請求項１から１４のいずれか１項に記載の骨固定装置。
【請求項１６】
複数の異なる軸部（２，１０２，２０２）および／または複数の異なる頭部（３，１０３，２０３）が設けられた、請求項１から１５のいずれか１項に記載の骨固定装置を備える、モジュラシステム。
【発明の詳細な説明】
【技術分野】
【０００１】
本発明は骨固定装置に関し、特に、軸部と頭部とが別個の部品として形成された多軸骨固定装置に関する。
【背景技術】
【０００２】
米国特許第６，８３５，１９６号Ｂ２は、ねじをロッドに接続するための固定要素について記載している。ねじの軸部と頭部とは別個の部品として形成されている。頭部は球形セグメント状であり、受部に旋回可能に保持されている。一例において、軸部の端部は円筒形状であり、頭部にはスリットが設けられ、円筒状のボアを有し、軸部の円筒状の端部がボアに挿入される。
【０００３】
米国特許出願公開第２００５／００４９５８８号Ａ１は、脊柱固定ロッドに接続するための多軸骨ねじを開示している。骨ねじの軸部の一端は円錐台形の捕捉構造を有し、捕捉構造は、軸部のねじ切りした端部から離れる方向に直径が大きくなる。保持リングは、円錐形状の中心ボアを有し、これは軸部を受けるために軸部の円錐面に合致する。受部に対する軸部の角度配向は、軸部の端部に作用する脊柱固定ロッドによって固定される。
【０００４】
米国特許出願公開第２００６／００３６２５２号Ａ１は多軸ねじを開示しており、これはねじを骨に固定するためのねじ切りした軸部を有する。軸部の一端は逆テーパヘッドを有し、拡張した中線から軸部に向かって、および軸部から離れる方向に、先細りになっている。球状の回り継ぎ手は中線よりも小さい開口部を有し、軸部と回転可能に係合するように頭部上にきっちりと嵌められている。
【先行技術文献】
【特許文献】
【０００５】
【特許文献１】米国特許第６，８３５，１９６号Ｂ２
【特許文献２】米国特許出願公開第２００５／００４９５８８号Ａ１
【特許文献３】米国特許出願公開第２００６／００３６２５２号Ａ１
【発明の概要】
【発明が解決しようとする課題】
【０００６】
本発明の目的は、軸部と頭部とが別個の部品として形成された骨固定装置を提供することであり、軸部と頭部との組立中に簡便かつ信頼性の高い操作を可能にし、組立後軸部を頭部に確実に固定させる。さらに、多様性を有するモジュラシステムを提供する。
【課題を解決するための手段】
【０００７】
当該目的は、請求項１に記載の骨固定装置によって達成される。
本発明のさらなる限定は、従属項に規定される。
【０００８】
軸部と頭部とが別個の部品として形成されているため、骨固定装置を使用する際、用途に応じて適切な軸部を選択し、頭部に接続して骨固定装置を形成することができる。特に、長さの異なる軸部を頭部と組合せて設けることができ、在庫保管費用が削減できる。
【０００９】
頭部の円筒状のボアと協働する軸部の端部の円筒形状により、軸部を頭部に簡便かつ確実に挿入することが可能となる。頭部にある程度の柔軟性を与える、少なくとも１つのスリットを頭部に設けることによって、挿入の容易性はさらに向上する。組立中に突起が対応する溝に係合することにより、組立て状態において軸部が頭部に確実に保持される。
【００１０】
添付の図面を参照すると、実施例の説明から本発明のさらなる特徴および利点が生じるであろう。
【図面の簡単な説明】
【００１１】
【図１】組立状態における第１の実施例に係る骨固定装置の斜視図である。
【図２】図１の骨固定装置の分解図である。
【図３】図１の骨固定装置の断面図である。
【図４】図４ａは第１の実施例に係る軸部の図である。図４ｂは第１の実施例に係る頭部の図である。図４ｃは第１の実施例に係る止め輪の図である。
【図５】第１の実施例に係る骨固定装置の組立を示す斜視図である。
【図６】第２の実施例に係る軸部および頭部の斜視図である。
【図７】図６の実施例の分解図である。
【図８】組立状態における図６の実施例の上部断面図である。
【図９】第２の実施例に係る軸部および頭部の分解断面図である。
【図１０】第３の実施例の分解図である。
【図１１】組立状態における第３の実施例の上部断面図である。
【発明を実施するための形態】
【００１２】
第１の実施例
図１から図４を参照して、第１の実施例について説明する。図２の分解図に見られるように、第１の実施例に係る骨固定装置１は、軸部２と、軸部２とは別個に設けられた頭部３と、受部４と、加圧要素５とを備える。さらに、第１の実施例ではリング７が設けられる。これについては以下に詳細に述べる。
【００１３】
図４ａに見られるように、軸部２は、先端部２０と、骨ねじ山２２が設けられた第１部分２１と、先端部２０の反対側の自由端２７に隣接する第２部分２３とを含み、第２部分２３は円筒面を有する。第２部分２３は、表面がほぼ平滑である。さらに、第２部分２３の外面には円周方向の溝２４が設けられている。第２部分２３の自由端２７は傾斜が付いた形状を有し、自由端２７に向かって直径が小さくなる。
【００１４】
図３に見られるように、軸部２はさらに同軸ボア２５を含む。ボア２５は自由端２７において開口し、先端部２０から所定の距離のところまで延在する。ボア２５から第１部分の外面まで延在する横向きの通し孔２６を第１部分２１に設けることもできる。通し孔２６は、骨ねじ山２２の頂の間の基部に配置することができる。ボア２５と通し孔２６とによって、たとえば骨セメントを注入することが可能となり、軸部２の骨における固定が向上する。軸部の自由端２７はさらに、捩じ込みツールと係合するための凹部を有する。
【００１５】
頭部３はほぼスリーブ形状であり、第１端３２と第２端３３とを有する。外面３０は、球形セグメント状である。円筒状のボア３１が設けられ、第１端３２から第２端３３まで頭部を貫通して延在している。円筒状のボア３１のほぼ中心には、円周方向の溝３４が設けられている。図３および図４ｂに見られるように、溝３４の断面はほぼ矩形である。
【００１６】
さらに、長手方向のスリット３５が頭部３に設けられ、第１端３２から第２端３３まで延在している。本実施例では、第１端３２から第２端３３まで延在するスリット３５を１つだけ示しているが、スリットは第１端３２から第２端３３まで連続して延在する必要はない。第１端３２または第２端３３から始まり、それぞれの他方端から所定の距離のところまで延在するスリットを１つ設けてもよい。代替案として、たとえば、第１端３２から始まり、第２端３３から所定の距離のところまで、および、第２端３３から始まり、第１端３２から所定の距離のところまで、交互に延在するスリットをいくつか設けてもよい。頭部３のスリットは、頭部３に弾性を与えるよう機能する。以下に述べるように若干寸法が大きい軸部も挿入できるようにし、また、固定要素による最終的な固定後に確実に留められるようにするためである。
【００１７】
リング７は止め輪として設けられ、図４ｃに見られるようにほぼ円形であり、間隙７０を有する。リング７は断面がほぼ矩形であり、軸部２の第２部分２３上の溝２４と、頭部３の円筒状のボア３１の溝３４とに嵌合するような形状である。間隙７０により、リング７はある程度柔軟性を有している。すなわち、その直径はある程度拡大したり縮小したりすることができる。
【００１８】
図２および図３に見られるように、受部４はほぼ円筒形状であり、第１端４０と、第２端４１と、長手方向の軸Ｚとを有する。同軸ボア４２は、第１端４０から第２端４１まで受部４を貫通して延在している。長手方向のボア４２の形状は、第１端４０に向かって先細りになっており、頭部３の外面３０を収容するための座部４３が形成されている。座部はたとえば、球状、円錐状または別の先細り形状を有する。さらに、ほぼＵ字型の凹部４４が受部４内に第２端４１に隣接して形成され、２つの自由脚部４５および４６が形成され、ボア４２に対してほぼ垂直に延在するチャネルが構成されて、ロッド６０を受ける。
自由脚部４５および４６の内面には、第２端４１に隣接して内側ねじ山４７が設けられ、固定要素６１が捩じ込まれて、Ｕ字型の凹部内にロッド６０を固定する。本実施例では、内側ねじ山４７は、長手方向の軸に垂直に配置されたねじ山側面を有する平坦なねじ山として設計されているが、ねじ山は他のいかなる適切なねじ山形状であってもよい。
【００１９】
さらに図２に示すように、加圧要素５はほぼ円筒形状であり、受部４の同軸ボア４２に挿入でき、かつボア内を摺動できるような大きさである。加圧要素５の上側には凹部５２が設けられる。凹部５２は中空の円筒形のセグメント状であり、その直径は受部４のＵ字型凹部４４の底部の直径にほぼ相当する。加圧要素５の下側５１には、中空の球形セグメント状の凹部（図示せず）が設けられ、その直径は頭部３の外径にほぼ相当する。加圧要素５において、その円筒軸に対して同軸にボア５３が設けられる。これは中で捩じ込みツールを案内できるようにするためである。使用の際には、図１に見られるように、長手方向のボア４２内に加圧要素５が配置され、中空の円筒形のセグメント状凹部５２がＵ字型凹部４４と揃うようにする。
【００２０】
図５を参照して、第１の実施例に係る骨固定装置１の動作について説明する。
動作の際、まず軸部２を捩じ込みツールと係合させることによって、骨または脊柱に捩じ込むことができる。
【００２１】
受部４と、頭部３と、リング７と、加圧要素５とは、予め組立てた状態で供することができる。予め組立てた状態では、リング７は頭部３の円筒状のボア３１に挿入され、リング状の溝３４に置かれる。さらに、頭部３は受部４の長手方向のボア４２内に配置されて座部４３上に載せられ、受部４に対して旋回可能となっている。加圧要素５は、受部４の長手方向のボア４２内に配置されて、下側５１の凹部が頭部３の外面３０と対面し、かつ中空の円筒形のセグメント状凹部５２がＵ字型凹部４４と揃うようにする。この組立状態において、間隙７０によって得られる柔軟性によって、リング７を直径が大きくなるようにさらに広げることができる。また、スリット３５によって、頭部３を直径が大きくなるようにさらに広げることができる。
【００２２】
軸部２の第２部分２３を頭部３の円筒状のボア３１内に案内することによって、受部４と、頭部３と、リング７と、加圧要素５とを組立てたものを軸部２に接続することができる。軸部２の上部の自由端２７の先細り形状によって、挿入が容易になる。挿入中、リング７が軸部の第２部分２３の溝２４にきっちりと嵌るまで、頭部３とリング７とが軸部の第２部分２３によって若干広げられる。この状態において、リング７は、軸部２の端部の溝２４および頭部３の溝３４にある。その結果、リング７が頭部３の溝３４に形状固定されて係合することによって、軸部２が頭部３から後退しなくなる。
【００２３】
軸部２の第２部分２３の円筒形状により、軸部２を頭部３に容易かつ簡便に挿入することができる。軸部２の溝２４に配置されたリング７によって形成される突起により、軸部２が頭部３に形状固定されることで確実に固定される。
【００２４】
軸部２を頭部３に挿入した後でも、受部４の円筒軸Ｚに対する軸部２の角度配向を変えることができる。動作に際して、ロッドをＵ字型凹部４４に配置して、加圧要素５の中空の円筒形状のセグメント状凹部５２に置く。内側ねじ山４７と協働することによって、固定要素を脚部４５および４６の間に捩じ込むことができる。固定要素はロッドに圧力をかけ、その結果ロッドが加圧要素５に圧力をかける。結果として、加圧要素５が頭部３に当接し、受部４に対する頭部３の角度配向が固定される。さらに、頭部３は先細り形状の座部４３に当接するため、頭部３が若干圧縮され、軸部２の頭部３への接続がさらに強化される。
【００２５】
頭部３のスリットにより、頭部３はある程度弾性を有する。したがって、若干寸法の大きい第２部分２３を有する軸部２を頭部３に接続することができる。さらに、固定要素を締付けた際に、この弾性によって軸部２を頭部３に確実に留めることができる。
【００２６】
軸部２を頭部３に接続する前に、まず骨または脊柱に捩じ込むと上述したが、代替的に、軸部２をまず頭部３と受部とに接続して固定装置をあらかじめ組み立てた状態にして、その後軸部２を骨または脊柱に捩じ込んでもよい。この捩じ込みは、受部４の長手方向のボア４２と加圧要素５のボア５３とを通って、軸部２の長手方向のボア２５内の構造に捩じ込みツールを案内することによって行われる。したがって、可変性が確保される。
【００２７】
第２の実施例
図６から図９を参照して、第２の実施例を説明する。第２の実施例は、軸部および頭部の構造が第１の実施例と異なる。受部４および加圧要素５は第１の実施例と同一であり、ここでは説明しない。図６から図９では、受部４および加圧要素５を省略する。
【００２８】
第２の実施例に係る軸部１０２は、骨ねじ山１２２が設けられた第１部分１２１と、第１の直径の円筒状の外面を有する第２部分１２３とを含み、表面はほぼ平滑である。図８および図９に示すように、軸部１０２は、第１の実施例の軸部のように長手方向のボアを含んでいない。捩じ込みツールと係合するための凹部１２６が自由端１２７に設けられている。第１の実施例のように、軸部１０２の自由端１２７は傾斜した形状であり、軸部１０２の頭部１０３への挿入が容易である。
【００２９】
円周方向に延在する突起１０７が、第２部分１２３上に形成されている。突起１０７は、第２部分１２３と一体に形成されている。
【００３０】
第１の実施例と同様に、頭部１０３はほぼスリーブ形状である。外面１３０は球形のセグメント状であり、円筒状のボア１３１が設けられている。円筒状のボア１３１のほぼ中央には、円周方向の溝１３４が設けられている。
【００３１】
さらに、複数の長手方向のスリット１３５が頭部１０３に設けられ、第１端１３２から始まり、第２端１３３から所定の距離のところまで、および第２端１３３から始まり、第１端１３２から所定の距離のところまで、交互に延在する。このスリット１３５の構造により、第１端１３２の領域および第２端１３３の領域において頭部１０３が均一に柔軟となる。
【００３２】
第２の実施例の動作は、第１の実施例と同様である。軸部１０２の自由端１２７が頭部１０３の円筒状のボア１３１に挿入されると、円形の突起１０７の導入によって頭部１０３の直径が大きくなる。突起１０７が円筒状のボア１３１のリング状の溝１３４に達すると、頭部１０３が弾力的に収縮して、突起１０７が溝１３４内に入り、軸部１０２が円筒状のボア１３１から後退しなくなる。骨固定装置全体を組み立てると、第１の実施例と同様、加圧要素５によって伝えられる圧力によって、軸部１０２の頭部１０３への固定がさらに向上する。
【００３３】
第１の実施例によれば、軸部２の第２部分２３の円筒状の外面から突出する突起がリング７によって形成され、リング７は軸部２の溝２４内に配置される。第２の実施例でも同様に、円形の突起１０７によって、軸部１０２の第２部分１２３の円筒状の外面から突出する突起が形成される。この突起１０７は第２部分１２３と一体に形成される。いずれの場合でも、第２部分２３、１２３の外面の円筒形状によって、軸部２、１０２を頭部３、１０３の円筒状のボア３１、１３１に容易かつ簡便に挿入することができる。さらに、いずれの場合でも、軸部２、１０２は不用意に後退しないように突起７、１０７によって固
定されている。突起７、１０７は、頭部３、１０３に設けられた溝３４、１３４と係合する第２部分２３、１２３の外面から突出する。スリット３５、１３５によってそれぞれの頭部３、１０３が柔軟になり、さらに挿入が容易になる。
【００３４】
第３の実施例
図１０および図１１に第３の実施例を示す。第３の実施例は、頭部および加圧要素の構造が第１のおよび第２の実施例と異なる。その他の構造は第１のおよび第２の実施例と同様であり、ここでは説明しない。
【００３５】
第１のおよび第２の実施例に係る骨固定装置は、軸部２、１０２および受部４のいわゆる多軸接続を供する。これに対し、第３の実施例に係る骨固定装置は、軸部２０２および受部４の単軸接続を供する。軸部２０２は第１の実施例の軸部２と同様に構成され、第１部分２２１と、自由端２２７に隣接する円筒状の第２部分２２３と、溝２２４とを含むが、長手方向のボアと通し孔とを含まない。
【００３６】
図１０に示すように、第３の実施例においては、頭部および加圧要素は別個の部品としてではなく、頭部２０３として一体に形成されている。頭部２０３はほぼ円筒形状であり、円筒状の外面２３０を有し、受部４の長手方向のボア４２に挿入できる大きさである。頭部２０３の外径は、第１端２０３ａにおいて球状に先細りとなっている。反対側の第２端２０３ｂは、第１の実施例の加圧要素５の上側５０と同様に形成されている。すなわち、円筒状の凹部２５２が第２端２０３ｂに形成されている。複数のスリット２３５が、第１端２０３ａから始まり、第２端２０３ｂから所定の距離のところまで延在している。スリット２３５によって、頭部２０３が柔軟になる。代替的に、スリット２３５を１つだけ設けてもよい。
【００３７】
頭部２０３は、第１の実施例の頭部３と同様に、円筒状のボア２３１とリング状の溝２３４とを有する。
【００３８】
第３の実施例に係る組立は、第１の実施例と同様である。動作の際、頭部２０３が受部４の長手方向のボア４２に挿入される。止め輪７が第２部分２２３の溝２２４に配置される。次に、軸部２０２の円筒状の第２部分２２３が頭部２０３の円筒状のボア２３１に挿入され、頭部２０３はスリット２３５によって与えられる柔軟性によって若干広がる。軸部２０２は、止め輪７が頭部２０３に設けられたリング状の溝２３４に対面するまで挿入され、その後頭部２０３の柔軟性によって止め輪７が溝２３４に係合する。その結果、軸部２０２が頭部２０３から後退しなくなる。
【００３９】
ロッド６０を挿入した後に固定要素６１が挿入され、ロッド６０を受部４に固定する。固定要素６１を締め付ける間、頭部２０３の第２端２０３ｂに圧力がかかる。頭部２０３は受部４の第１端４０に当接される。長手方向のボア４２の先細り形状と頭部２０３に設けられたスリット２３５とによって頭部２０３が圧縮され、軸部２０２が頭部２０３内に確実に固定される。
【００４０】
代替的な動作方法においては、まず止め輪を頭部２０３のリング状の溝２３４に配置し、その後軸部２０２を挿入してもよい。
【００４１】
さらなる変形例
多軸骨固定装置のさらなる変形例において、軸部は第１の実施例の軸部２と同様に形成され、第２部分２３の円筒状の外面に溝２４を設ける。第１の実施例に対し、リング７は省略され、頭部３の円筒状のボア３１における溝３４の代わりに、円筒状のボア３１よりも直径が小さいリング状の突起を円筒状のボア３１内に一体に形成する。軸部２を円筒状
のボア３１に挿入すると、このリング状の突起が軸部２の溝２４と係合する。
【００４２】
その結果、第１のおよび第２の実施例について説明したのと同様の接続が得られる。この構造は、第３の実施例に示した単軸接続にも適用できる。
【００４３】
第１のおよび第３の実施例におけるリング７は、ボア３１、２３１の円筒状の内面に設けられた突起を形成すると考えられる。リング７によって形成される突起は、軸２、２０２上に設けられた溝２４、２２４と係合する。
【００４４】
頭部に設けられた溝と協働する第２の実施例に係る突起１０７の構造は、第３の実施例に係る単軸接続に適用することができる。
【００４５】
上記の実施例では、多軸骨固定装置におけるロッドの固定および軸部の角度配向を単一の固定要素によって行なうと述べたが、ロッドと頭部とを別個に固定するために２つの固定要素を設けることも可能である。代替的には、外側ナットによって固定要素を形成してもよい。この外側ナットは、受部の自由端に設けられた外側ねじ山に捩じ込まれる。
【００４６】
上述の実施例では、加圧要素は上面に溝を有している。しかし、加圧要素に平坦な上面を設けることも可能である。
【００４７】
さらなる変形例が可能である。たとえば、第２の実施例に係る頭部の特徴を第１の実施例に係る軸部と組合せてもよく、またその逆も同様である。
【００４８】
同軸ボアを含むまたは含まない、かつ異なる種類の骨ねじ山を有する、異なる種類の軸部を設けて、モジュラシステムを形成することができる。このようなシステムにおいて、フックを設けてもよい。さらに、異なる種類の頭部を設けて、それぞれの用途に応じて軸部と組合せてもよい。このように、用途が多様なモジュラシステムを提供することができる。
【符号の説明】
【００４９】
１  骨固定装置、２  軸部、３  頭部、４  受部、５  加圧要素、７  突起、４２  同軸ボア、４５，４６  自由脚部、４７  内側ねじ山。
【図１】
2014158711.tif 000003
【図２】
2014158711.tif 000004
【図３】
2014158711.tif 000005
【図４】
2014158711.tif 000006
【図５】
2014158711.tif 000007
【図６】
2014158711.tif 000008
【図７】
2014158711.tif 000009
【図８】
2014158711.tif 000010
【図９】
2014158711.tif 000011
【図１０】
2014158711.tif 000012
【図１１】
2014158711.tif 000013
【手続補正書】
【提出日】平成26年3月13日(2014.3.13)
【手続補正１】
【補正対象書類名】特許請求の範囲
【補正対象項目名】全文
【補正方法】変更
【補正の内容】
【特許請求の範囲】
【請求項１】
モジュラシステムであって、
骨または脊柱に固定されるべき軸部（２，１０２，２０２）と、
頭部（３，１０３，２０３）と、
前記軸部（２，１０２，２０２）をロッドに接続するために頭部（３，１０３，２０３）を受ける受部（４）とを備え、
前記軸部（２，１０２，２０２）および頭部（３，１０３，２０３）は別個の部品であり、
前記頭部（３，１０３，２０３）は、円筒状の内面を有するボア（３１，１３１，２３１）と、前記内面から前記頭部（３，１０３，２０３）の外面（３０，１３０，２３０）まで延在する少なくとも１つのスリット（３５，１３５，２３５）とを含み、
前記軸部（２，１０２，２０２）は、骨または脊柱に固定される第１部分（２１，１２１，２２１）と、円筒状の外面を有し自由端（２７，１２７，２２７）に隣接する第２部分（２３，１２３，２２３）とを含み、
突起（１０７）が、前記第２部分（２３，１２３，２２３）の前記円筒状の外面および前記頭部（３，１０３，２０３）の前記円筒状の内面のうちの一方に設けられ、
リング状の溝（３４，１３４，２３４；２４，２２４）が、前記第２部分（２３，１２３，２２３）の前記円筒状外面および前記頭部（３，１０３，２０３）の前記他方の円筒状の内面のうちの他方に設けられ、
前記軸部（２，１０２，２０２）の円筒状の第２部分（２３，１２３，２２３）が頭部（３，１０３，２０３）の前記ボア（３１，１３１，２３１）に挿入されると、前記突起（１０７）と前記リング状の溝（３４，１３４，２３４；２４，２２４）とが係合し、
前記突起（１０７）は、軸部（２，１０２，２０２）の円筒状の第２部分（２３，１２３，２２３）または前記頭部（３，１０３，２０３）と一体に形成され、
複数の異なる軸部（１０２）および／または複数の異なる頭部（３，１０３，２０３）が設けられた、モジュラシステム。
【請求項２】
前記頭部（３，１０３，２０３）の円筒状の内面の前記突起（１０７）はリング状である、請求項１に記載のモジュラシステム。
【請求項３】
前記頭部（３０，１３０）の外面はほぼ球形セグメント形状である、請求項１または２に記載のモジュラシステム。
【請求項４】
ボア（３１，１３１，２３１）は、第１端（３２，１３２，２０３ａ）から第２端（３３，１３３，２０３ｂ）まで頭部（３，１０３，２０３）を貫通する、請求項１から３のいずれか１項に記載のモジュラシステム。
【請求項５】
少なくとも１つのスリット（３５，１３５）は、頭部（３，１０３）の第１端（３２，１３２）から第２端（３３，１３３）まで延在する、請求項１から４のいずれか１項に記載のモジュラシステム。
【請求項６】
いくつかのスリット（１３５）が頭部（１０３）に設けられ、第１端（１３２）から始まり、第２端（１３３）から所定の距離のところまで、および第２端（１３３）から始まり、第１端（１３２）から所定の距離のところまで、それぞれ交互に延在する、請求項１から５のいずれか１項に記載のモジュラシステム。
【請求項７】
長手方向のボア（４２）は第１端（４０）から第２端（４１）まで受部を貫通し、長手方向のボアは先細り形状であって第２端（４１）に隣接し、頭部（３，１０３，２０３）を収容するための座部（４３）を形成する、請求項１から６のいずれか１項に記載のモジュラシステム。
【請求項８】
加圧要素（５）は長手方向のボア（４２）内に配置され、受部（４）に対する軸部（２）の角度配向を固定する、請求項１から７のいずれか１項に記載のモジュラシステム。
【請求項９】
Ｕ字型の凹部（４４）は受部（４）内に第１端（４０）に隣接して形成され、長手方向のボア（４２）にほぼ垂直に延在し、２つの自由脚部（４５，４６）が形成され、ロッドを受けるためのチャネルを形成する、請求項１から８のいずれか１項に記載のモジュラシステム。
【手続補正３】
【補正対象書類名】明細書
【補正対象項目名】０００１
【補正方法】変更
【補正の内容】
【０００１】
本発明は、骨または脊柱に固定されるべき軸部と頭部とが別個の部品として形成されたモジュラシステムに関する。
【手続補正４】
【補正対象書類名】図面
【補正対象項目名】図７
【補正方法】変更
【補正の内容】
【図７】
2014158711.tif 000014
【手続補正５】
【補正対象書類名】図面
【補正対象項目名】図８
【補正方法】変更
【補正の内容】
【図８】
2014158711.tif 000015